(57)【特許請求の範囲】
【請求項１】
化粧料が載置される底面部と、
前記底面部に設けられ、放射状に設けられた第一底面リブと、
前記底面部に設けられ、前記放射の方向に対して交差する方向に延びる第二底面リブと、
前記底面部から略直立する側面部と、
当該側面部に設けられた側面リブと、
を備える化粧料保持具であって、
前記第二底面リブは、断続的に設けられ、
前記側面リブは、前記側面部の一部が、内面凸状、外面凹状となるように成型されることで設けられ、
前記側面部の外面に成型された凹状の部分のうちの少なくとも一部は、該化粧料保持具を化粧料用ケースに対して固定するための係止部として用いられる、
化粧料保持具。
【請求項２】
前記第二底面リブは、該第二底面リブの断続する部分に前記第一底面リブが配されるように設けられる、
請求項１に記載の化粧料保持具。
【請求項３】
前記側面部は、上面視略矩形の枠を形成するように配され、
前記第二底面リブの少なくとも一部は、前記側面部によって形成される矩形の対角線に交差する方向に延びる、
請求項１または２に記載の化粧料保持具。
【請求項４】
前記第一底面リブおよび前記第二底面リブは、前記底面部の中心近傍を除く位置に設けられる、
請求項１から３の何れか一項に記載の化粧料保持具。
【発明の詳細な説明】
【技術分野】
【０００１】
本発明は、化粧料が保持される化粧料保持具に関する。
【背景技術】
【０００２】
従来、化粧料が収納される容器において、中皿容器の底面部に補強用のリブが設けられることがある（例えば、特許文献１を参照）。
【先行技術文献】
【特許文献】
【０００３】
【特許文献１】特開平１１−１６９２２９号公報
【発明の概要】
【発明が解決しようとする課題】
【０００４】
従来、例えば粉体成型用の化粧料やオイルゲル溶融用の化粧料等が収容される化粧料用容器として、化粧料を保持し、化粧料用外容器（外ケース）に設置される中皿（化粧料保持具）が用いられている。このような中皿は、中皿に保持される化粧料の割れや脱落を防ぐために、中皿に対して様々な方向から掛かる衝撃や圧力に対して、中皿の形状を維持する力（形状維持力）を有することが好ましい。ここで、中皿の強度を向上させる方法としては、中皿の底面部または側面部の厚みを増す方法等があるが、このような対処は材料コストや加工コストの増加を招くこととなる。
【０００５】
このため、化粧料用の中皿の底面部には、中皿全体の強度を向上させる目的や、成型された化粧料と中皿との接着力（換言すると、中皿による化粧料の保持力）を高める目的から、リブが設けられることがある。従来、このような目的で設けられる中皿底面部のリブは、中皿底面部の中心を囲むリング状（図８を参照）、または、中皿底面部の中心から放射する方向に延びる放射状（図９を参照）、に設けられていた。
【０００６】
リング状のリブは、中皿に様々な方向からかかる力に対して、良好な強度（形状維持力）を発揮する。但し、底面部の中心を囲むように設けられたリブは、中皿の中心から外縁方向に向かう化粧料の流れを妨げるため、化粧料の圧縮固化において、固化状態を均一とすることが困難であるという問題がある。このような問題は、特に、オイルゲル溶融用の化粧料において顕著であり、また、中皿が上面視で角部を有するような形状（例えば、矩形）である場合には、角部への化粧料の流れが遅くなり、固化状態が均一となり難い。
【０００７】
これに対して、放射状のリブは、オイルゲル溶融用の化粧料であっても、底面部の外縁まで化粧料がスムーズに流れることを可能とする。しかし、放射状のリブは、撓みや折り曲げに対する強度（形状維持力）において、リング状のリブに比べて不利である。
【０００８】
本発明は、上記した問題に鑑み、従来と同程度のコストで製造可能であり、且つ化粧料の流れを妨げない、強度的に優れた化粧料保持具を提供することを課題とする。
【課題を解決するための手段】
【０００９】
本発明は、化粧料保持具の底面部に、放射方向に延びるリブに加えて、放射方向に交差する方向に延び、且つ断続的に設けられるリブを設けることで、従来と同程度のコストで製造可能であり、且つ化粧料の流れを妨げない、強度的に優れた化粧料保持具を提供することを可能とした。
【００１０】
詳細には、本発明は、化粧料が載置される底面部と、前記底面部に設けられ、放射状に設けられた第一底面リブと、前記底面部に設けられ、前記放射の方向に対して交差する方向に延びる第二底面リブと、を備え、前記第二底面リブは、断続的に設けられている、化粧料保持具である。
【００１１】
本発明によれば、上記構成が採用されたことで、材料コストや加工コストを増加させることなく、優れた形状維持力を有する化粧料保持具を提供することが可能となる。なお、本発明において、化粧料保持具に用いられる材料および製法には、アルミニウム等の金属板のプレス加工や、樹脂の射出成型等、様々な材料および製法が採用されてよい。
【００１２】
本発明では、化粧料保持具の底面部において放射状に延びる第一底面リブに加えて、この放射方向と交差する方向に延びる第二底面リブが設けられることで、化粧料保持具の強度が向上する。ここで、第二底面リブは、放射方向と交差する方向に延びていればよいが、放射方向と直交する方向に延びるように設けられることがより好ましい。
【００１３】
また、本発明において、第二底面リブは、断続的に（換言すると、一部非連続に）設けられる。このため、本発明によれば、化粧料の充填や圧縮固化等の際に、化粧料保持具の上に載置された化粧料がこの断続部分を通って化粧料保持具全体に広がることが可能となり、化粧料保持具に保持される化粧料の量や密度の分布を均一にすることが出来る。
【００１４】
また、底面部に設けられるリブは、化粧料保持具の内側方向に隆起したリブであってもよいし、化粧料保持具の外側方向に隆起したリブであってもよい。ここで、化粧料保持具の内側方向に隆起したリブが採用された場合には、充填または固化された化粧料に隆起したリブが入り込むため、化粧料保持具の強度向上という効果に加えて、化粧料保持具による化粧料の保持力を向上させるという効果を得ることが出来る。なお、化粧料保持具の外側方向に隆起したリブが採用された場合でも、プレス加工等によって設けられたリブであれば、化粧料保持具の内側に、リブが設けられた位置に対応して溝が設けられるため、化粧料が溝に入り込み、化粧料保持具による化粧料の保持力が向上するという効果を得ることが出来る。
【００１５】
また、本発明において、前記第二底面リブは、該第二底面リブの断続する部分に前記第一底面リブが配されるように設けられてもよい。第二底面リブがこのように設けられることで、例えば、化粧料の圧縮固化等が行われる場合に、化粧料が第二底面リブに妨げられることなく、第一底面リブに沿って化粧料保持具全体に均等に分散される。即ち、本発明によれば、化粧料保持具に保持される化粧料の量や密度の分布をより均一にすることが可能となる。
【００１６】
また、本発明に係る化粧料保持具は、前記底面から略直立し、上面視略矩形の枠を形成するように配される側面部を備え、前記第二底面リブの少なくとも一部は、前記側面部によって形成される矩形の対角線に交差する方向に延びていてもよい。底面から略直立し、化粧料保持具の枠を形成する側面部は、底面部の曲げに対して化粧料保持具の形状を維持する役割を果たし、化粧料保持具の強度向上に貢献する。しかし、側面部によって形成される枠が矩形である場合、矩形の辺の方向については、側面部による形状維持力が強く働くが、矩形の対角線に直交する方向については、側面部による形状維持力が働き難い。
【００１７】
このため本発明では、第二底面リブの少なくとも一部を、矩形の対角線に交差（例えば、直交）する方向に配することで、側面部による形状維持力が働き難い方向に対しても、化粧料保持具の曲げに対する強度を高めることとしている。
【００１８】
また、本発明において、前記第一底面リブおよび前記第二底面リブは、前記底面部の中
心近傍を除く位置に設けられてもよい。底面リブが底面部の中心近傍を除く位置に設けられることで（換言すると、底面部の中心近傍には底面リブが設けられないことで）、例えば、化粧料の圧縮固化の際等に、化粧料の移動が妨げられることなく、化粧料がより少ないほうへ流れ、化粧料保持具全体に均等に分散される。
【００１９】
また、本発明に係る化粧料保持具は、前記底面から略直立する側面部に設けられた、側面リブを更に備えてもよい。このような側面リブが設けられることで、側面部を有する化粧料保持具であっても、側面部の撓みや折り曲げの度合いを低減出来る。更に、側面リブによって側面部の撓み等が低減されるため、側面部による化粧料保持具全体の形状維持力が向上する。また、底面リブに加えて側面リブが設けられていることで、化粧料保持具に載置または充填された化粧料に対して、底面リブによる保持力および側面リブによる保持力が、略直交する２方向から作用し、化粧料がより強力に保持され、化粧料の脱落が防止される。
【００２０】
また、本発明において、前記側面リブは、前記側面部の一部が、内面凸状、外面凹状となるように成型されることで設けられ、前記側面部の外面に成型された凹状の部分のうちの少なくとも一部は、該化粧料保持具を化粧料用ケースに対して固定するための係止部として用いられてもよい。このような構成によれば、係止部として用いられる側面形状を、側面リブとして兼用することで、化粧料保持具の加工において、成型が困難な側面リブのためのコストをかけることなく、コスト上有利に側面リブを有する化粧料保持具を得ることが出来る。
【００２１】
なお、本発明に係る化粧料保持具は、化粧料の外ケースに固定されて用いられる中皿として用いることが出来るが、その用途は、中皿に限定されない。本発明に係る化粧料保持具に直接蓋等を設けて化粧料用の容器としてユーザに提供されてもよいし、その他、化粧料を保持するための装置として、様々な用途に用いることが出来る。
【発明の効果】
【００２２】
本発明によれば、従来と同程度のコストで製造可能であり、且つ化粧料の流れを妨げない、強度的に優れた化粧料保持具を提供することが可能となる。
【図面の簡単な説明】
【００２３】
【図１】実施形態に係る化粧料保持具の上面図である。
【図２】実施形態に係る化粧料保持具の側面図である。
【図３】実施形態に係る化粧料保持具のＡ−Ａ断面図である。
【図４】実施形態に係る化粧料保持具のＡ−Ａ断面拡大図である。
【図５】実施形態に係る化粧料保持具に粉体成型用の化粧料が充填されて圧縮固化される際の、側面リブ近傍の状態を示す拡大図である。
【図６】放射状の底面リブを有する化粧料保持具に対して、第二底面リブが追加された化粧料保持具を示す図である。
【図７】放射状の底面リブを有する化粧料保持具に対して、側面リブが追加された化粧料保持具を示す図である。
【図８】リング状の底面リブを有する、従来の化粧料保持具を示す図である。
【図９】放射状の底面リブを有する、従来の化粧料保持具を示す図である。
【図１０】実施例において比較対象として用いた、従来の化粧料保持具を示す図である。
【発明を実施するための形態】
【００２４】
以下、本発明に係る化粧料保持具の実施の形態について、図面に基づいて説明する。
【００２５】
図１は、本実施形態に係る化粧料保持具１を上面から見た様子を示す図である。また、図２は、本実施形態に係る化粧料保持具１を側面から見た様子を示す図であり、図３は、本実施形態に係る化粧料保持具１のＡ−Ａ断面図である。本実施形態に係る化粧料保持具１は、化粧料の充填および圧縮固化等の工程を経ることによって化粧料を直接保持する中皿として用いられ、化粧料を保持した状態で外ケースに固定されて、ユーザの使用に供される。なお、外ケースの図示は省略する。
【００２６】
このような中皿としては、粉体成型用の化粧料の場合、成型時の圧力や落下時の衝撃等に対する強度を確保する必要性から、また、オイルゲル溶融用の化粧料の場合、充填時に内容物へ馴染ませるために充填前に中皿を加熱する必要性から、例えばアルミニウム等の金属製の中皿が用いられる。本実施形態に係る化粧料保持具１は、厚さ約０．５ｍｍのアルミニウム板をプレス加工して成型されており、底面部２および側面部３を有する。
【００２７】
本実施形態に係る化粧料保持具１は、全体として上面視略矩形の形状を有しており（図１を参照）、底面部２の外縁には、底面部２から直立する側面部３が、底面部２の全体を囲むように設けられることで、略矩形の枠を形成している。なお、本実施形態において、底面部２が形成する矩形、および側面部３が形成する矩形の枠は、何れも角が丸められている。
【００２８】
底面部２には、所定の点を中心とする放射方向に延びる第一底面リブ２１ａ、２１ｂと、この放射方向に対して交差する方向に延びる第二底面リブ２２が設けられている。第一底面リブ２１ａ、２１ｂは、化粧料保持具１の中心（ここでは、矩形の対角線の交点）から８方向に放射状に延びるように設けられている。より具体的には、第一底面リブ２１ａ、２１ｂは、側面部３に平行な４方向に設けられた第一底面リブ２１ａと、側面部３によって形成される略矩形の枠の対角線に沿って４方向に設けられた第一底面リブ２１ｂと、を含む。なお、本実施形態では、化粧料保持具１全体が構成する矩形の対角線の交点が、放射方向の中心となる所定の点として用いられる。但し、例えば、底面部が円形である場合には、円の中心が所定の点として用いられてもよいし、その他の点が所定の点として用いられてもよい。
【００２９】
第二底面リブ２２は、化粧料保持具１の中心を起点とする放射方向のうち、矩形の対角線と一致する放射方向（第一底面リブ２１ｂが延びる方向）に略直交するように設けられている。このため、本実施形態では、第二底面リブ２２は、矩形の対角線と一致する第一底面リブ２１ｂのうち、交差しない方の第一底面リブ２１ｂと略平行に設けられることとなり、第二底面リブ２２は、第一底面リブ２１ｂと共に、化粧料保持具の、対角線方向への形状維持力を向上させる。
【００３０】
本実施形態に係る化粧料保持具１において、矩形の辺方向への形状維持力は、主として側面部３および側面部３に平行な第一底面リブ２１ａによって確保される。そして、側面部３による形状維持力が働き難い矩形の対角線方向への形状維持力は、主として対角線に沿った第一底面リブ２１ｂおよび第二底面リブ２２によって確保される。本実施形態では、上記説明したように、あらゆる方向に対する強度を確保することで、化粧料保持具１が、化粧料を保持した状態で落下等した場合にも、化粧料保持具１の変形を防ぎ、保持されている化粧料の割れや脱落を防止することを可能としている。
【００３１】
また、第一底面リブ２１ａ、２１ｂは放射状に設けられているため、第一底面リブ２１ａ、２１ｂ同士の間隔は、放射の中心から外側にかけて広がり、第一底面リブ２１ａ、２１ｂによって提供される形状維持力は低下する。しかし、本実施形態では、この放射方向に直交する方向に延びる第二底面リブ２２が設けられているため、放射の中心から離れており、第一底面リブ２１ａ、２１ｂ同士の間隔が広い位置であっても、第二底面リブ２２
により高い形状維持力を維持することが出来る。
【００３２】
また、本実施形態に係る化粧料保持具１では、第一底面リブ２１ａ、２１ｂは、底面部２の中心近傍を除く位置に設けられる。従来の化粧料保持具では、放射状に設けられるリブが、底面部中心において互いに連結されているために、底面部を区画する結果となり、圧縮固化等の際に化粧料の移動を阻害しているものがあった（図９を参照）。これに対して、本実施形態では、底面部２の中心近傍にはリブが設けられないため、圧縮固化等の際に、化粧料が化粧料保持具１の全体に対して均等に移動する。
【００３３】
更に、本実施形態に係る化粧料保持具１では、第二底面リブ２２と第一底面リブ２１ａ、２１ｂとは、互いに連続しないように設けられる。換言すると、第二底面リブ２２は断続して（非連続に）設けられ、この第二底面リブ２２の断続する部分に第一底面リブ２１ａ、２１ｂが配される。従来、リング状のリブが設けられている化粧料保持具では、リング状のリブが底面部の中心側と外縁側とを区画し、圧縮固化等の際の化粧料の移動が阻害されていた（図８を参照）。これに対して、本実施形態では、第一底面リブ２１ａ、２１ｂに沿って底面部２の外縁側に流れる化粧料の流れが、第二底面リブ２２に阻害されないため、圧縮固化等の際に、化粧料が化粧料保持具１の全体に対して、また、化粧料保持具１の角部に至るまで、均等に移動する。
【００３４】
更に、側面部３には、側面リブ３１ａ、３１ｂが設けられている。本実施形態において、側面リブ３１ａ、３１ｂは、略矩形の枠を形成するために４面設けられる側面部３の夫々において、底面部２に平行な同一直線上に、直列に３つずつ設けられる。即ち、本実施形態において、側面リブ３１ａ、３１ｂは、側面部３の計１２箇所に設けられる。なお、側面リブ３１ａ、３１ｂは全周に亘って設けられてもよいが、本実施形態では、化粧料保持具１の成型時に撓みが発生することを防止するため、非連続で設けることとした。
【００３５】
また、本実施形態では、化粧料保持具１は、アルミニウム板のプレス加工によって成型されているため、容器の外側（裏側）には、内側に隆起するリブに対応する位置に、溝（凹状部）が形成される。そして、一の側面部３に対して設けられる３つの側面リブ３１ａ、３１ｂのうち中央の側面リブ３１ａに対応する外側の溝は、係止部３２として、化粧料保持具１を化粧料用ケースに対して固定するために用いられる。
【００３６】
図４は、本実施形態に係る化粧料保持具１のＡ−Ａ断面図のうち、側面リブ３１ａおよび係止部３２を示す拡大図である。本実施形態において、側面リブ３１ａは、側面リブ３１ａに対応する側面部３外側の溝が、化粧料保持具１（中皿）が固定される化粧料用ケース（外ケース）に設けられた爪等に係止する係止部３２となるように、アンダーカット加工によって形成される。
【００３７】
図５は、本実施形態に係る化粧料保持具１に粉体成型用の化粧料が充填されて圧縮固化される際の、側面リブ３１ａ近傍の状態を示す拡大図である。圧縮固化工程では、化粧料保持具１に充填された化粧料に成型用の紙９１、および成型用の布９２が被せられ、その上から成型用の押型９３でプレスが行われる。このとき、側面リブ３１ａ、３１ｂが側面部３の高い位置に設けられていると、押型９３と側面リブ３１ａ、３１ｂとの間で成型用の紙９１および布９２が圧縮され、化粧料保持具１内部のエアが抜けるスペースがなくなってしまう虞がある。
【００３８】
このため、側面リブ３１ａ、３１ｂは、充填される化粧料の量、成型用の紙９１並びに布９２の厚さ、および押型９３によるプレスの圧力、圧縮後の化粧料の高さ、等に基づいて、圧縮固化の際に、化粧料保持具１内部のエアが抜けるスペースを確保可能な位置に設けられることが好ましい。なお、本実施形態では、圧縮後の化粧料の高さが側面部３上縁
から０．５〜１．２ｍｍの高さとなるように圧縮されるため、側面リブ３１ａ、３１ｂは、側面リブ３１ａ、３１ｂの上端が側面部３上縁から１．５ｍｍの位置となる位置に設けられる。
【００３９】
また、第一底面リブ２１ａ、２１ｂ、第二底面リブ２２、および側面リブ３１ａ、３１ｂは、化粧料保持具１による、化粧料の保持力を向上させる。本実施形態において、第一底面リブ２１ａ、２１ｂ、第二底面リブ２２、および側面リブ３１ａ、３１ｂは、プレス加工によって形成され、化粧料保持具１の内側方向に隆起している。このため、これらのリブは化粧料保持具１上の化粧料に食い込み、化粧料保持具１と化粧料との間の接着力および摩擦力によって化粧料の保持力を高め、化粧料の脱落を防止する。
【００４０】
なお、放射状のリブを有する従来の化粧料保持具（図９を参照）では、リブ同士の間隔が放射の中心から外側にかけて広がっているため、底面リブによって提供される化粧料の保持力が低下することがあった。特に、化粧料がユーザによって使用されて化粧料保持具の中央付近の化粧料が減少し、底面部の外縁側のみに化粧料が残っているような場合に、底面部の外縁側ではリブ同士の間隔が広いために保持力が低くなる。これに対して、本実施形態に係る化粧料保持具１によれば、放射方向に直交する方向に延びる第二底面リブ２２が設けられているため、放射の中心から離れた位置であっても、第二底面リブ２２により化粧料の保持力が提供され、ユーザによる使用の最後まで化粧料の保持力を維持することが出来る。
【００４１】
なお、上記説明した実施形態では、化粧料保持具１に、第二底面リブ２２と側面リブ３１ａ、３１ｂの両方を設けた場合について説明したが、放射状の底面リブを有する化粧料保持具に対して、第二底面リブ２２および側面リブ３１ａ、３１ｂの何れか一方のみを追加して設ける事としてもよい。
【００４２】
図６は、放射状の底面リブを有する化粧料保持具に対して、第二底面リブ２２が追加された化粧料保持具１ｂを示す図であり、図７は、放射状の底面リブを有する化粧料保持具に対して、側面リブ３１ａ、３１ｂが追加された化粧料保持具１ｃを示す図である。なお、化粧料保持具１ｂ、１ｃの構成は、第二底面リブ２２および側面リブ３１ａ、３１ｂの有無を除いて化粧料保持具１と略同様であるため、共通する構成については同一の符号を付して説明を省略する。放射状の底面リブを有する化粧料保持具に対して、第二底面リブ２２および側面リブ３１ａ、３１ｂの何れか一方のみを追加して設けた場合であっても、良好な形状維持力、および充填／圧縮固化時の化粧料の流れを確保することが出来る。
【実施例】
【００４３】
以下、上記説明した化粧料保持具１、１ｂ、１ｃと、第二底面リブ２２および側面リブ３１ａ、３１ｂを有さない従来の化粧料保持具と、を用いて行った落下試験について説明する。図１０は、本実施例において比較対象として用いた、第二底面リブ２２および側面リブ３１ａ、３１ｂを有さない従来の化粧料保持具を示す図である。本実施例に係る落下試験では、従来の化粧料保持具および化粧料保持具１、１ｂ、１ｃの夫々に、化粧料として「オルビス  ツーウェイケーキ  ナチュラル」を充填し、圧縮固化したものを５０ｃｍの高さから御影石へ落下させることで行った。なお、夫々の化粧料保持具につき、２０ｋｇ／ｃｍ2、３０ｋｇ／ｃｍ2、４０ｋｇ／ｃｍ2の力で圧縮固化したものを２個ずつ用意
し、矩形の化粧料保持具の中央、左上、左下、右上、右下の計５箇所（計測位置については図１０を参照）の硬度を、オルゼン硬度計を用いて計測したものを落下させた。また、本実施例に係る化粧料保持具は、ユーザの使用に供される際に、中皿として外ケースに係止されるものであるが、本実施例に係る落下試験では、化粧料保持具（中皿）は、外ケースに収納されない状態で落下させた。
【００４４】
表１は、本実施例に係る実験結果を示す表である。縦軸には、化粧料保持具の種類および化粧料の硬度計測位置を示し、横軸には、圧縮固化時の圧力を示した。そして、表内には、計測された化粧料の硬度と、落下試験の結果が示されている。
【００４５】
【表１】
0005449907.tif 000002
【００４６】
上記試験結果によれば、第二底面リブ２２および側面リブ３１ａ、３１ｂを有さない従来の化粧料保持具（図１０を参照）については、固化圧力２０ｋｇ／ｃｍ2、３０ｋｇ／
ｃｍ2、４０ｋｇ／ｃｍ2の何れの場合にも化粧料の割れが発生したが、第二底面リブ２２または側面リブ３１ａ、３１ｂの何れかが追加されている化粧料保持具１ｂ、１ｃについては、固化圧力４０ｋｇ／ｃｍ2の場合に割れが発生せず、第二底面リブ２２および側面
リブ３１ａ、３１ｂが追加されている化粧料保持具１については、固化圧力３０ｋｇ／ｃｍ2、４０ｋｇ／ｃｍ2の場合に割れが発生しなかった。
【００４７】
以上実験結果より、第二底面リブ２２および側面リブ３１ａ、３１ｂが、化粧料が充填および圧縮固化された化粧料保持具が落下した場合の化粧料の割れ防止に効果を発揮することが確認できた。特に、第二底面リブ２２および側面リブ３１ａ、３１ｂの両方を備える化粧料保持具１については、割れ防止に大きな効果が得られることが分かった。
【符号の説明】
【００４８】
１、１ｂ、１ｃ  化粧料保持具（中皿）
２  底面部
３  側面部
２１ａ、２１ｂ  第一底面リブ
２２  第二底面リブ
３１ａ、３１ｂ  側面リブ
３２  係止部
【図１】
0005449907.tif 000003
【図２】
0005449907.tif 000004
【図３】
0005449907.tif 000005
【図４】
0005449907.tif 000006
【図５】
0005449907.tif 000007
【図６】
0005449907.tif 000008
【図７】
0005449907.tif 000009
【図８】
0005449907.tif 000010
【図９】
0005449907.tif 000011
【図１０】
0005449907.tif 000012